(57)【要約】【課題】  従来の活性炭素繊維等を包み込んでなるパック体をマスク本体にセットして使用するものは、マスク全体としては相当程度の厚みとなり、重量も嵩んでしまう虞があった。また、マスクの一部に装入した形状維持芯材に芳香剤等を含浸させたものは、形状維持芯材を取り外し自在として使用するものではないため、芳香剤等の効能が低下した場合は、形状維持芯材を取り替えることが困難となる場合がある。【解決手段】  そこで本発明は、マスク全体としても薄く、顔、頬、鼻にフィットさせて外部からの花粉、埃が入るのを防ぐ効果や脱臭効果・芳香効果等が高く、活性炭フィルターパックの挿脱が容易なマスクを提供するものである。【選択図】  図１
2007006977.tif 000002
【特許請求の範囲】
【請求項１】
ガーゼ・不織布を重層したマスク本体部と、該マスク本体部の両端部に設けた掛け紐で構成したマスクであって、
該マスク本体部の内側に袋体を設け、該袋体に活性繊維体をガーゼ及び／又は不織布で包装した面状の活性炭フィルターパックを挿脱可能とし、
該マスク本体部の中央部の左右に小袋部を設け、該小袋部に活性繊維体をガーゼ及び／又は不織布で包装した棒状の活性炭フィルターパックを挿脱可能としたことを特徴とする面状及び／又は棒状の活性炭フィルターパックを付設したマスク。
【請求項２】
ガーゼ・不織布を重層したマスク本体部と、該マスク本体部の両端部に設けた掛け紐で構成したマスクであって、
該マスク本体部の内側に袋体を設け、該袋体に活性繊維体をガーゼ及び／又は不織布で包装した面状の活性炭フィルターパックを挿脱可能とし、
該マスク本体部の鼻の近傍が当接する部分に小袋体を設け、該小袋体に鼻薬・活性炭等の処理剤を挿脱可能としたことを特徴とする面状及び／又は棒状の活性炭フィルターパックを付設したマスク。
【請求項３】
請求項１又は請求項２に記載のマスクであって、
前記マスク本体部の上辺部及び／又は下辺部をギャザー状に縫製することを特徴とする面状及び／又は棒状の活性炭フィルターパックを付設したマスク。
【請求項４】
請求項１乃至請求項２に記載のマスクであって、
掛け紐が該マスク本体部の両端部に少なくとも２本設けられていることを特徴とする面状及び／又は棒状の活性炭フィルターパックを付設したマスク。
【発明の詳細な説明】
【技術分野】
【０００１】
本発明は、マスク本体に設けた袋に、活性炭フィルターパックを挿脱可能とするマスクに関する。
【背景技術】
【０００２】
従来の活性炭素繊維等を包み込んでなるパック体をマスク本体にセットして使用するものとして「衛生マスク」がある（以下、従来例１という）。この従来例１は、実開平３−１８８５８号で、その内容は、マスク本体に設けられた袋内に微集塵フィルター、磁石ネット、スパンボンドによる活性炭素繊維の一定量をフェルト層として包み込んでなるパック体及び厚さが凡そ１ｃｍで内枠の縦横寸法が凡そ５ｃｍ〜９ｃｍとなる当枠とをセットして使用する衛生マスクである。
【０００３】
しかし、従来例１に係るマスクの袋内にセットするパック体は、微集塵フィルター、磁石ネット、スパンボンドによる活性炭素繊維の一定量をフェルト層として包み込んでなるものであって、さらに当枠にパック体をセットするものであり、当枠にパック体をセットして、その当枠をマスクの袋内にセットすると、マスク全体が厚くなり、また、重量も嵩んでしまう虞がある。
【０００４】
また、花粉や埃は必ずしも正面からのみ飛んでくるものではなく、空気の流れ等の変化により、マスクの横側からも進入してくる場合がある。このような場合、従来例１に係る発明は、ポリウレタンフォームからなる当枠にパック体をセットし、該当枠をマスクの袋内にセットする構成であるため、当枠の素材が硬性のフォームの場合は、マスク着用者の頬の部分にフィットし難い虞があり、マスク着用者の頬の部分から花粉や埃等が侵入してくる虞がある。
【０００５】
次に、マスクの１部に芳香剤や竹炭粉、清涼剤を含浸させた形状維持芯材を設けたものとして「生分解性セルロースを形態維持芯材に用いたマスク」がある（以下、従来例２という）。この従来例２は、特開２００３−５２８４６で、その内容は、マスクの１部に装入した生分解性ファイバーで出来た形状維持芯材をマスク使用時に顔の表面曲線に沿うよう変形・密着させ、形状維持芯材に芳香剤や竹炭粉・清涼剤の少なくとも１つを含浸させたものである。この発明は、形状維持芯材に芳香剤や清涼剤を含浸させることによって、清涼感、悪臭除去等により着用時の精神安定、不快環境の緩和効果がある。しかし、従来例２は、形状維持芯材を取り外し自在として使用するものではないため、形状維持芯材に含浸させた芳香剤や清涼剤の効能が低下した場合は、形状維持芯材を取り替えることが困難である。
【０００６】
【特許文献１】実開平３−１８８５８号
【特許文献２】特開２００３−５２８４６
【発明の開示】
【発明が解決しようとする課題】
【０００７】
そこで、上記事情に鑑みて、本発明に係るマスクは、薄い素材である繊維を炭化させた活性繊維体である炭フェルトをガーゼ、不織布等で包装した面状及び／又は棒状の活性炭フィルターパックをマスクに挿入して、マスク全体としても薄くて脱臭効果・芳香効果等が高く、頬の部分にもフィットし、軽快に装着できる活性炭フィルターパック挿脱マスクを提供することを目的とするものである。
【課題を解決するための手段】
【０００８】
第１発明のマスクは、ガーゼ・不織布を重層したマスク本体部と、該マスク本体部の両端部に設けた掛け紐で構成したマスクであって、該マスク本体部の内側に袋体を設け、該袋体に活性繊維体をガーゼ及び／又は不織布で包装した面状の活性炭フィルターパックを挿脱可能とし、該マスク本体部の中央部の左右に小袋部を設け、該小袋部に活性繊維体をガーゼ及び／又は不織布で包装した棒状の活性炭フィルターパックを挿脱可能としたことを特徴とする面状及び／又は棒状の活性炭フィルターパックを付設することを特徴とするマスクである。
【０００９】
第２発明のマスクは、ガーゼ・不織布を重層したマスク本体部と、該マスク本体部の両端部に設けた掛け紐で構成したマスクであって、該マスク本体部の内側に袋体を設け、該袋体に活性繊維体をガーゼ及び／又は不織布で包装した面状の活性炭フィルターパックを挿脱可能とし、該マスク本体部の鼻の近傍が当接する部分に小袋体を設け、該小袋体に鼻薬・活性炭等の処理剤を挿脱可能とすることを特徴とする面状及び／又は棒状の活性炭フィルターパックを付設することを特徴とするマスクである。
【００１０】
第３発明のマスクは、請求項１又は請求項２に記載のマスクで、前記マスク本体部の上辺部及び／又は下辺部、左右両横にゴム等を用いてギャザー状に縫製することを特徴とする面状及び／又は棒状の活性炭フィルターパックを付設することを特徴とするマスクである。
【００１１】
第４のマスクは、請求項１乃至請求項２に記載のマスクであって、掛け紐が該マスク本体部の両端部に少なくとも２本設けられていることを特徴とする面状及び／又は棒状の活性炭フィルターパックを付設することを特徴とするマスクである。
【発明の効果】
【００１２】
第１の発明乃至第４の発明に用いられる活性炭フィルターパックの内包物は、上述のとおり繊維を炭化させたもの、即ち、炭フェルトである。この炭フェルトは、微細な糸状物質である繊維を炭化させているため、炭化された微細な糸と糸とが絡み合って活性繊維体を構成している。従って、その活性繊維体を構成している微細な糸の有している多孔質（炭が有する無数の孔）を外気が通過することによって外気中の有害物質が多孔質で吸着され、また、炭化された糸と糸との細かな隙間を外気が通過することによって外気中の有害物質が炭化された糸に吸着されるという少なくとも２重の空気清浄効果を得ることができるため、単に木材等を炭化させたものよりも消臭等の効果が高く、大変有用である。炭フェルトは、平坦で広い面積をカバーすることができ、吸気口である鼻や口の部分を覆うことが容易である。例えば、炭フェルトは面状で薄いため、本発明であるマスクを装着した際に抵抗感・違和感を持つことが少ない。炭フェルトは活性繊維体であるため、マスクを装着する際、顔の凹凸にフィットし花粉や埃の侵入を防止することができる。
【００１３】
第１発明乃至第４発明において用いられる活性炭フィルターパックの内包物は繊維を炭化させたものであり、以下のような効果が挙げられる。
【００１４】
−イオン発生により＋イオンを少なくするため、心身をリラックスさせる沈静効果がある。遠赤外線を発生させるため、血行や新陳代謝を促進する。多孔質に空気が通ることや隙間を外気が通過すること等から、臭いの元となる汚れの成分や有害物質等を多孔質が吸着して脱臭性があるため、マスク使用者の口臭を防ぐことができる。のどの痛みや、かゆみ等の症状がある場合に本発明を使用すると、炭が有する加湿機能により、のどの痛み・かゆみ等の症状が緩和される場合があり特に有効である。活性炭フィルターパックを水で湿らすことによって、加湿機能がより高まり、のどや鼻の痛みが緩和される。
【００１５】
さらに、活性炭フィルターパックとガーゼ・不織布との相乗効果により、花粉や埃を除去できる。肌があたる部分のかぶれを防ぐことができる等の効果が期待できる。また、人体に近接している状態であっても人体に害が少ない。
【００１６】
第１発明によれば、前記マスク本体部の内側に袋体を設け、該袋体に活性繊維体である炭フェルトをガーゼ及び／又は不織布で包装した面状の活性炭フィルターパックを挿脱可能としていることから、該マスクを使用し続け、活性炭フィルターパックの効能が低下した場合、活性炭フィルターパックのみの交換が容易にでき、新しい活性炭フィルターパックに交換することができる。また、該マスク本体部の中央部の左右に小袋部を設け、該小袋部に活性繊維体である炭フェルトをガーゼ及び／又は不織布で包装した棒状の活性炭フィルターパックを挿脱可能としていることから、該マスクの中央部の左右の小袋部に挿入した棒状の活性炭フィルターパックの効能が低下した場合は、棒状の活性炭フィルターパックのみを交換することが可能となる。即ち、本発明は、マスク本体部に袋体と小袋体を分割して設けているため、活性炭フィルターパックの効能が低下した箇所の面状又は棒状の活性炭フィルターパックを新しい活性炭フィルターパックに交換すれば足り、経済的である。また、マスク本体の左右に小袋部を設け、該小袋部に活性繊維体をガーゼ及び／又は不織布で包装した棒状の活性炭フィルターパックが挿入された状態であれば、頬の部分にマスク本体の棒状の活性炭フィルターパックの部分が当接するため、マスクの横の部分からの花粉や埃等の侵入を効果的に防止することができる。
【００１７】
第２の発明によれば、前記マスク本体部の鼻の近傍が当接する部分に小袋体を設け、該小袋体に鼻薬・活性炭等の処理剤を挿脱可能とすることを特徴とするものである。マスク使用者の鼻の近傍から漂う清涼剤や芳香剤の香りがマスク使用者の嗅覚を刺激して、心地よさを喚起する。花粉症や風邪等の症状の１つである、鼻づまりになった場合に、鼻薬を浸透させた活性炭フィルターパックが鼻の近傍にあることにより、辛い鼻づまりの症状を緩和させ、鼻通りを良くすることができる。小袋体から容易に処理剤を挿脱できるため、その日の気分や雰囲気等により、小袋体に挿入する処理剤の香りを手軽に変えて楽しむことができる。また第２の発明によれば、該マスク本体部の内側に設けた袋体に該袋体に活性繊維体である炭フェルトをガーゼ及び／又は不織布で包装した面状の活性炭フィルターパックを挿脱可能としていることから、例えば大気中の悪臭等をマスク本体部に設けた袋体に挿入した面状の活性炭フィルターパックを通過することにより悪臭は脱臭され、その上で心地よさを喚起する清涼材や芳香材の香りを漂わす構成となっているため、悪臭を排除した上で香りを楽しむことができ、悪臭と清涼材や芳香材の香りが混合されてしまうことが回避される。さらに、鼻水が棒状の活性炭フィルターパックにまで付着してしまった場合は、鼻水が付着した活性炭フィルターパックのみを交換すればよいため、面状の活性炭フィルターパックを交換する場合に比較して経済的である。
【００１８】
第３の発明によれば、前記マスク本体部の上辺部及び／又は下辺部をギャザー状に縫製することを特徴とする面状及び／又は棒状の活性炭フィルターパックを挿脱することを特徴としているため、マスク使用者が使用する際、顔の表面の凹凸形状に沿った形でフィットするため、マスク本体部と顔の表面の隙間を少なくすることにより、花粉や埃等の体内への侵入を効果的に防止することができる。
【００１９】
また、第１の発明又は第２の発明に第３の発明である前記マスク本体部の上辺部及び／又は下辺部をギャザー状に縫製した場合、第１の発明又は第２の発明の効果が得られることは勿論である。
【００２０】
第４の発明によれば、掛け紐が該マスク本体部の両端部に少なくとも２本設けられていることを特徴としているため、少なくとも紐が２本あることによって、より人体にフィットするため、頬の部分からの花粉や埃の浸入を効果的に防止することができる。
【００２１】
また第１発明乃至第４発明にあっては、面状及び／又は棒状の活性炭フィルターパックや処理剤を挿脱することができるため、長期間使用してマスク本体が汚れた場合は、面状及び／又は棒状の活性炭フィルターパックや処理剤を取り外してマスクのみを洗濯することができ、衛生的な使用が可能となる。マスクが使用不可能となり、マスクを廃棄しなければならない場合、面状及び／又は棒状の活性炭フィルターパックや処理剤のみを取り出してマスクの方のみを廃棄すればよく、面状及び／又は棒状の活性炭フィルターパックや処理剤は再利用できるため経済的である。面状及び／又は棒状の活性炭フィルターパックや処理剤の効能がなくなった場合には、面状及び／又は棒状の活性炭フィルターパックや処理剤のみを交換してマスクの方は使用することができる。さらに、上述のように廃棄物を削減することができるので、昨今、声高に叫ばれている地球環境保全問題においても非常に有益なこととなる。
【００２２】
炭フェルトを包装するパック（不織布製）は市販のものを利用することもできる。
【００２３】
本発明を使用することにより、マスク使用者を悪臭や有害物質から保護し、タバコを吸わない嫌煙家が喫煙家の近傍で作業をしなければならない場合等は、嫌煙家が本発明であるマスクを使用すると、喫煙家が吐き出す煙を嫌煙家が吸わされてしまう、いわゆる間接喫煙を回避することができ有意義である。
【００２４】
また、風邪等で咳がでる場合に本発明を使用すると、咳による病原菌を撒き散らすことを少なくすることができるため、周辺の他人を保護することができる。
【００２５】
本発明は、悪臭が発生する作業場、特殊な塗料を使用する現場、排気ガスが蔓延している作業場、医師・歯科医師・薬剤師・看護師等が治療や作業を行う病院等、清掃業者の作業、家庭内の清掃作業等において有益である。
【００２６】
本発明について、（財）日本紡績検査協会が行った花粉通過性試験の検査結果として以下の結果がでている（２００５年３月８日・試験番号０４６４８１１３）。
【００２７】
試験方法は、ボーケン法（ＪＳＩＦ  Ａ  ０３０−２００４）により花粉通過率を算出するものである。ボーケン法は、提出された試料に基づいて花粉通過率が算出される。
２００５年３月８日・試験番号０４６４８１１３に提出した試料は、炭フェルト＋ハイタオル（登録商標）の茶袋入のものである。そしてその結果は、花粉通過率０．０％であった。
【００２８】
この試験結果から、本発明の花粉防止効果は十分なものであると考えられる。
【発明を実施するための最良の形態】
【００２９】
つぎに、本発明の実施形態に係るマスクを図面に基づいて説明する。
【００３０】
図１は、本発明の第１の実施例の一部欠截の斜視図である。図２は、本発明の第１の実施例の長手方向断面図である。図３は、本発明の第１の実施例を実際に人体へ装着した断面図である。図４は、面状の活性炭フィルターパックの一部欠截の斜視図である。図５は、本発明の第２の実施例の斜視図である。図６は、本発明の第２の実施例を実際に人体へ装着した断面図である。図７は、本発明の第３の実施例の斜視図である。図８は、本発明の第３の実施例の長手方向断面図である。図９は、本発明の第４の実施例を実際に人体へ装着した断面図である。図１０は、本発明の第５の実施例を実際に人体へ装着した断面図である。
【００３１】
図１に示すように、本発明の第１の実施例のマスク５０は、マスク本体部１の人体に触れる内側の中央部１Ａに面状の活性炭フィルターパックの袋体１０が設けられ、その袋体１０の中に面状の活性炭フィルターパック１０Ａを挿入する。そして、その面状の活性炭フィルターパックの袋体１０の左右に棒状の活性炭フィルターパックの小袋部１１が設けられ、その小袋部１１の中に棒状の活性炭フィルターパック１１Ａを挿入する。即ち、面状の活性炭フィルターパックの袋体１０と棒状の活性炭フィルターパックの小袋部１１が分割して設けられている。
【００３２】
マスク本体部１の両端部１Ｂには、掛け紐３を通す掛け紐孔２を設け、掛け紐孔２に掛け紐３を通す。なお、本図では、便宜上マスク本体部１の両端部１Ｂに設けた掛け紐孔２には掛け紐３はそれぞれ１本しか設けていないが、請求項４に記載のように少なくとも第２の掛け紐３Ａを設けることによって、少なくとも２重に掛け紐３を設け、より強固にマスク使用者の顔面にフィットさせることができる。第２の掛け紐３Ａを設ける位置としては、例えば、マスク本体部１の両端部１Ｂの掛け紐３を通す掛け紐孔２と掛け紐孔２の間に第２の掛け紐３Ａの一端を縫製等することにより第２の掛け紐３Ａを設けることができる。
【００３３】
マスク本体部１は、ガーゼ１５・不織布１６を重層して成るものである。ガーゼ１５・不織布１６は、マスク使用者が外気に浮遊している病原菌を吸い込まないようにすること等、また、病原菌を持ったマスク使用者が咳をすることによって病原菌を撒き散らすことの防止等の目的を図るため、濾過効果を持つものが望ましい。ガーゼ１５の材質としては、一般的には、綿や紙等の天然繊維等が用いられるが、これに限定されないことは勿論である。不織布１６の材料としては、フェルト等が挙げられる。重層するガーゼ１５と不織布１６の組み合わせは、複数枚のガーゼ１５のみを何層にも重ねる場合、複数枚の不織布１６のみを何層にも重ねる場合、ガーゼ１５と不織布１６を何層にも重ねる場合等の組み合わせが考えられる。即ち、上述の濾過効果がある組み合わせであれば、ガーゼ１５・不織布１６の組み合わせは任意である。
本図では、面状の活性炭フィルターパックの袋体１０及び袋体に挿入している面状の活性炭フィルターパック１０Ａは、略正方形となっているが、面状の活性炭フィルターパックの袋体１０及び袋体１０に挿入している面状の活性炭フィルターパック１０Ａを半分に欠截して略長方形とすることも可能である。このような構成とすることによってマスクを着用し、人体２０の鼻の頭２１Ａよりも面状の活性炭フィルターパックの袋体１０及び袋体１０に挿入している面状の活性炭フィルターパック１０Ａの上端部が鼻２１と口２２の間に構成される場合は、面状の活性炭フィルターパックの袋体１０及び袋体１０に挿入している面状の活性炭フィルターパック１０Ａと他のマスク本体部１とに段差ができ、鼻２１から口２２の部分を覆う場合と比べて圧迫感が軽減される場合がある。マスク本体部１の両端部１Ｂに設けた掛け紐孔２に通す掛け紐３は、一般的には、紐やゴムが望ましいが、これらに限定されるものではないことは勿論である。
【００３４】
なお、面状の活性炭フィルターパック１０Ａ・棒状の活性炭フィルターパック１１Ａのマスクへの挿入は、使用状況に応じて面状の活性炭フィルターパックのみ挿入、棒状の活性炭フィルターパックのみ挿入、面状の活性炭フィルターパックと棒状の活性炭フィルターパックを挿入することができることは勿論である。
【００３５】
図２は本発明の第１の実施例の長手方向断面図である。マスク本体部１の両端部１Ｂに掛け紐を通す掛け紐孔２を設け、その掛け紐孔２に掛け紐３を通す。マスク本体部１の人体に触れる内側の中央部１Ａには、面状の活性炭フィルターパックの袋体１０と、その袋体１０に面状の活性炭フィルターパック１０Ａを挿入している。面状の活性炭フィルターパックの袋体１０の左右に、棒状の活性炭フィルターパックの小袋部１１を設け、その小袋部１１に棒状の活性炭フィルターパック１１Ａを挿入している。
【００３６】
図３は、本発明の第１の実施例のマスク５０を実際に人体へ装着した断面図である。図のように、面状の活性炭フィルターパックの袋体１０及び面状の活性炭フィルター１０Ａがマスク装着者の鼻２１から口２２にかけて覆うような形となり、人間が呼吸する際の空気の侵入口である鼻２１と口２２を面状の活性炭フィルターパックの袋体１０及び面状の活性炭フィルターパック１０Ａで覆うため、面状の活性炭フィルター１０Ａによって空気が濾過され、マスク着用者は、清浄化された空気を吸うことができる。
【００３７】
なお、本図は、面状の活性炭フィルターパック１０Ａと顔の位置関係を明確にするための図である。従って上述のように、マスク着用者の頬２３の部分には、棒状の活性炭フィルター１１Ａを入れた部分が当接する。
【００３８】
図４は、面状の活性炭フィルターパックの一部欠截の斜視図である。活性炭の材質は、繊維を炭化させた炭フェルト１４である。そして炭フェルト１４をガーゼ１５及び／又は不織布１６で包装している。
【００３９】
本図では炭フェルト１４をガーゼ１５又は不織布１６で１重で包装しているが、一般的には、炭フェルト１４はガーゼ１５・不織布１６で２重に包装するのが望ましい。なお、他図においても炭フェルト１４をガーゼ１５又は不織布１６で１重で包装しているが、炭フェルト１４はガーゼ１５・不織布１６で２重に包装するのが望ましい。炭フェルト１４を包装するガーゼ１５は、目が細かく、密度が高いものが望ましい。例えば、ハイガーゼ等の衛生用品やハイタオル（登録商標）等が挙げられる。炭フェルト１４を包装する不織布１６は、フェルト等の素材のものが考えられるが、市販のパックを使用することもできる。市販のパックを使用した場合のパックの材質としては、例えば、ポリプロピレン、ポリエステル、ポリエチレン等の食品用分析試験に合格したような高品質の不織布１６を用いることが望ましいが、これらに限定されるものではない。
【００４０】
ここで、炭フェルト１４の包装方法の１例を説明すると、まず炭化させた炭フェルト１４をハイガーゼ等で包装する（１重目）。ついで炭フェルト１４を包装したハイガーゼ等を市販のパックに入れる（２重目）。そしてパックに炭フェルト１４を包装したハイガーゼ等を挿入後お茶パックの挿入口を縫製する。また面状の活性炭フィルターパック１０Ａの上辺部及び／又は下辺部に針金等を封入してマスク着用者の鼻２１の凹凸に合わせることにより、上辺部及び／又は下辺部からの花粉や埃等の進入を回避することができる。
図５は、本発明の第２の実施例のマスク６０の斜視図である。マスク本体部１の略中央部１Ａに長手方向Ｘに向けて棒状の鼻薬・活性炭等の処理剤の小袋体１３を設け、その小袋体１３に棒状の鼻薬・活性炭等の処理剤１３Ａを挿入する。
【００４１】
処理剤１３Ａは、上述した棒状の活性炭フィルターパック１１Ａを利用して製作されている。即ち、炭フェルト１４をガーゼ１５や不織布１６で包装している。そして、炭フェルト１４をガーゼ１５や不織布１６で包装した処理剤１３Ａに鼻薬や芳香材等を浸透させ、処理剤１３Ａを小袋体１３に挿入して使用する。
【００４２】
棒状の鼻薬・活性炭等の処理剤１３Ａがマスク着用者の鼻２１の近傍にあるため、鼻薬や活性炭の効果をより直接的に得ることができる。また、処理剤１３Ａに清涼剤や芳香剤を浸透させると、マスク着用者の嗅覚を刺激して、心地よさを喚起する。マスク本体部１の両端部１Ｂには、掛け紐３を通す掛け紐孔２を設け、掛け紐孔２に掛け紐３を通す。第２の実施例に係る発明でも、図１に記載の第１の実施例に係る発明で説明したように、第２の掛け紐３Ａを設けることができる。
【００４３】
なお本図は、小袋体１３に棒状の鼻薬・活性炭等の処理剤１３Ａを挿入する場合のみを図示しているが、本発明の第２の実施例のマスク６０は、マスク本体部１の中央部１Ａに面状の活性炭フィルターパックの袋体１０が設けられ、その袋体１０の中に面状の活性炭フィルターパック１０Ａを挿入する。そして、面状の活性炭フィルターパックの袋体１０の略中央に棒状の鼻薬・活性炭等の処理剤の小袋体１３を設けて、その小袋体１３に棒状の鼻薬・活性炭等の処理剤１３Ａを挿入する構成となっている。
【００４４】
図６は、本発明の第２の実施例を実際に人体へ装着した断面図である。小袋体１３に挿入した鼻薬・活性炭等の処理剤１３Ａがマスク装着者の鼻２１の近傍に存在することとなる。
【００４５】
なお本図でも、棒状の鼻薬・活性炭等の処理剤１３Ａを挿入する場合のみを図示しているが、図５の説明と同様に、面状の活性炭フィルターパックの袋体１０の略中央に棒状の鼻薬・活性炭等の処理剤の小袋体１３を設けて、その小袋体１３に棒状の鼻薬・活性炭等の処理剤１４を挿入する構成となっている。
【００４６】
図７は、本発明の第３の実施例のマスク７０の斜視図である。マスク本体部１の人体が触れる内側の中央部１Ａに面状の活性炭フィルターパックの袋体１０が設けられ、その袋体１０の中に面状の活性炭フィルターパック１０Ａを挿入し、面状の活性炭フィルターパックの袋体１０の左右に棒状の活性炭フィルターパックの小袋部１１が設けられ、小袋部１１の中に棒状の活性炭フィルターパック１１Ａを挿入する点は、本発明の第１の実施例と同様である。本発明の第３の実施例は、マスク本体部１の上辺部１７・下辺部１８をギャザー状４に縫製した構成となっている。このようにマスク本体部１の上辺部１７をギャザー状４に縫製することによりマスク本体部１の上辺部１７・下辺部１８が縫い縮められ、マスク装着者の顔の凹凸にフィットしてマスク本体部１の上辺部１７・下辺部１８からの花粉や埃の進入を効果的に防止することができることと、上述した面状の活性炭フィルターパック１０Ａ・棒状の活性炭フィルターパック１１Ａとの相乗効果により、効果的に花粉や埃等の体内への侵入を防止することができる。本発明の第３の実施例では、マスク本体部１の上辺部１７及び下辺部１８に掛け紐を通す掛け紐孔２を設けている。そしてこの掛け紐孔２に掛け紐３を通す。なお本図では、掛け紐３を通す掛け紐孔２と掛け紐孔２の中間部に第２の掛け紐３Ａを設けている。このように掛け紐３及び第２の掛け紐３Ａという２重の掛け紐により、マスク着用者の顔の凹凸にフィットする。
【００４７】
また、マスク本体部１両端部１Ｂはゴム１９を縫製しており縫い縮められているため、マスク着用者の頬２３の部分にピッタリとフィットして、マスク着用者の頬２３の部分から花粉や埃の侵入を効果的に防止することができる。
【００４８】
掛け紐３及び第２の掛け紐３Ａの材質は、一般的には、紐やゴム等が挙げられるが、これに限定されないことは勿論である。
【００４９】
図８は、本発明の第３の実施例の長手方向断面図である。マスク本体部１の略中央部１Ａに面状の活性炭フィルターパックの袋体１０を設け、袋体１０に面状の活性炭フィルターパック１０Ａを挿入している。また、面状の活性炭フィルターパックの袋体１０の左右に棒状の活性炭フィルターパックの小袋部１１を設け、小袋部１１に棒状の活性炭フィルターパック１１Ａを挿入している。マスク本体部１の両端部１Ｂにマスク掛け紐を通す掛け紐孔２を設け、掛け紐孔２に掛け紐３を通している。
【００５０】
図９は、第４の実施例の発明を実際に人体へ装着した断面図である。第４の実施例のマスク８０のマスク本体部１の人体に触れる内側の面状の活性炭フィルターパックの袋体１０のガーゼ１５・不織布１６の鼻２１の近傍にあたる部分を盛上げてコブ状２４を構成している。この第４の実施例のマスク８０は、マスク本体部１に面状の活性炭フィルターパックの袋体１０を設け、その面状の活性炭フィルターパックの袋体１０に面状の活性炭フィルターパック１０Ａを挿入し、面状の活性炭フィルターパックの袋体１０の略中央に鼻薬・活性炭等の処理剤の小袋体１３を設け、小袋体１３に鼻薬・活性炭等の処理剤１３Ａを挿入している。そして、マスク装着時に鼻２１の近傍にあたる部分のマスク本体部１のコブ状２４は、例えば、鼻水がたれた場合は、たれた鼻水をコブ状２４が受け止めることとなり、使用後は廃棄することなくマスクを洗濯して再度使用することができるため、衛生面や地球環境において有用である。
【００５１】
図１０は、本発明の第５の実施例を実際に人体へ装着した断面図である。マスク本体部１の上辺部１７及び下辺部１８に掛け紐を通す掛け紐孔２を設けている。そしてこの掛け紐孔２に掛け紐３を通す。また、掛け紐３を通す掛け紐孔２と掛け紐孔２の中間部に第２の掛け紐３Ａを設けている。そして、掛け紐３と第２の掛け紐３Ａをマスク装着者の耳２５に係止することによってマスク本体部１の端部１Ｂが頬２３にフィットし、花粉や埃がより侵入し難くなる。
【図面の簡単な説明】
【００５２】
【図１】本発明の第１の実施例の一部欠截の斜視図である。
【図２】本発明の第１の実施例の長手方向断面図である。
【図３】本発明の第１の実施例を実際に人体へ装着した断面図である。
【図４】面状の活性炭フィルターパックの一部欠截の斜視図である。
【図５】本発明の第２の実施例の斜視図である。
【図６】本発明の第２の実施例を実際に人体へ装着した断面図である。
【図７】本発明の第３の実施例の斜視図である。
【図８】本発明の第３の実施例の長手方向断面図である。
【図９】本発明の第４の実施例を実際に人体へ装着した断面図である。
【図１０】本発明の第５の実施例を実際に人体へ装着した断面図である。
【符号の説明】
【００５３】
１          マスク本体部
１Ａ        中央部
１Ｂ        端部
２          掛け紐孔
３          掛け紐
３Ａ        第２の掛け紐
４          ギャザー状
１０        面状の活性炭フィルターパックの袋体
１０Ａ      面状の活性炭フィルターパック
１１        棒状の活性炭フィルターパックの小袋部
１１Ａ      棒状の活性炭フィルターパック
１３        鼻薬・活性炭等の処理剤の小袋体
１３Ａ      鼻薬・活性炭等の処理剤
１４        炭フェルト
１５        ガーゼ
１６        不織布
１７        上辺部
１８        下辺部
１９        ゴム
２０        人体
２１        鼻
２１Ａ      鼻の頭
２２        口
２３        頬
２４        コブ状
２５        耳
５０        第１の実施例のマスク
６０        第２の実施例のマスク
７０        第３の実施例のマスク
８０        第４の実施例のマスク
９０        第５の実施例のマスク
Ｘ          長手方向
【図１】
2007006977.tif 000003
【図２】
2007006977.tif 000004
【図３】
2007006977.tif 000005
【図４】
2007006977.tif 000006
【図５】
2007006977.tif 000007
【図６】
2007006977.tif 000008
【図７】
2007006977.tif 000009
【図８】
2007006977.tif 000010
【図９】
2007006977.tif 000011
【図１０】
2007006977.tif 000012